(57)【要約】【課題】クリップにより電線が取付対象物に取り付けられた際に、取付対象物から電線までの寸法を抑えつつ、クリップの軸部を電線の幅方向の中心に寄せることができる技術を提供することを目的とする。【解決手段】バンドクリップ１０は、皿部１２と、軸部３０と、係止部４０と、バンド部５０と、バンド係止部と、を備える。バンド部５０は、一端が前記皿部１２につながるヒンジ部５６と、前記ヒンジ部５６の他端から延びるように細帯状に形成されたバンド本体部５２とを含む。前記バンド本体部５２は前記軸部３０の延びる方向と直交する方向に延びるように形成されるとともに、前記ヒンジ部５６は、前記軸部３０の延びる方向と直交する方向から前記軸部３０の延びる向きとは逆の向きに向かうように湾曲状に形成されている湾曲部５８を含む。また、バンド係止部は、軸部３０に設けられている。【選択図】図３
2016077048.tif 000002
【特許請求の範囲】
【請求項１】
底部と、前記底部の外周縁部から外周側に向けて延びる胴部とを含み、皿状に形成された皿部と、
前記皿部の底部から前記胴部が設けられている側に延びる軸部と、
前記軸部の先端から前記皿部側に向かって延びる係止部と、
一端が前記皿部につながるヒンジ部と、前記ヒンジ部の他端から延びるように細帯状に形成されたバンド本体部とを含み、電線の周囲に巻回可能なバンド部と、
前記軸部の内部に設けられ、前記バンド部が電線の周囲に巻回された状態で前記バンド部の先端側を係止可能なバンド係止部と、
を備え、
前記バンド本体部は前記軸部の延びる方向と直交する方向に延びるように形成されるとともに、前記ヒンジ部は、前記軸部の延びる方向と直交する方向から前記軸部の延びる向きとは逆の向きに向かうように湾曲状に形成されている湾曲部を含む、バンドクリップ。
【請求項２】
請求項１に記載のバンドクリップであって、
前記湾曲部は、その長手方向中間部分においてその断面積が最小となるように形成されている、バンドクリップ。
【請求項３】
請求項１又は請求項２に記載のバンドクリップであって、
前記胴部には前記ヒンジ部の幅以上の幅で外縁が前記底部に向かって凹む態様の凹部が形成され、前記ヒンジ部は前記軸部の延びる方向から見て前記凹部が形成された部分を通って外側に延びている、バンドクリップ。
【発明の詳細な説明】
【技術分野】
【０００１】
この発明は、電線等を車体に固定するためのバンドクリップに関する。
【背景技術】
【０００２】
電線等を車両に固定するためのバンドクリップ（バンドクランプとも言う）が、例えば、特許文献１に開示されている。
【０００３】
特許文献１に記載のバンドクリップは、皿形状のスタビライザ（皿部）を備え、その開放部から切り込まれたスリットにより弾性反力を確保しつつ、撓み量を大きくすることでクリップのがたつきを抑えるとされている。
【先行技術文献】
【特許文献】
【０００４】
【特許文献１】特開２００２−１７４２１０号公報
【発明の概要】
【発明が解決しようとする課題】
【０００５】
ところで、特許文献１に記載のバンドクリップのようにベルト（バンド）及びバックル（バンド固定部）がスタビライザの下方に設けられていると、パネル等の取付対象物から電線までの寸法が大きくなってしまう恐れがある。
【０００６】
また、クリップによっては、バンドを電線の周囲に巻回した状態で、クリップのうち皿部から延びる軸部が電線の幅方向の中心に来ない場合がある。この場合、車両における電線の配設経路で誤差が生じる恐れがある。
【０００７】
そこで、本発明は、クリップにより電線が取付対象物に取り付けられた際に、取付対象物から電線までの寸法を抑えつつ、クリップの軸部を電線の幅方向の中心に寄せることができる技術を提供することを目的とする。
【課題を解決するための手段】
【０００８】
上記課題を解決するため、第１の態様に係るバンドクリップは、底部と、前記底部の外周縁部から外周側に向けて延びる胴部とを含み、皿状に形成された皿部と、前記皿部の底部から前記胴部が設けられている側に延びる軸部と、前記軸部の先端から前記皿部側に向かって延びる係止部と、一端が前記皿部につながるヒンジ部と、前記ヒンジ部の他端から延びるように細帯状に形成されたバンド本体部とを含み、電線の周囲に巻回可能なバンド部と、前記軸部の内部に設けられ、前記バンド部が電線の周囲に巻回された状態で前記バンド部の先端側を係止可能なバンド係止部と、を備え、前記バンド本体部は前記軸部の延びる方向と直交する方向に延びるように形成されるとともに、前記ヒンジ部は、前記軸部の延びる方向と直交する方向から前記軸部の延びる向きとは逆の向きに向かうように湾曲状に形成されている湾曲部を含む。
【０００９】
第２の態様に係るバンドクリップは、第１の態様に係るバンドクリップであって、前記湾曲部は、その長手方向中間部分においてその断面積が最小となるように形成されている。
【００１０】
第３の態様に係るバンドクリップは、第１又は第２の態様に係るバンドクリップであって、前記胴部には前記ヒンジ部の幅以上の幅で外縁が前記底部に向かって凹む態様の凹部が形成され、前記ヒンジ部は前記軸部の延びる方向から見て前記凹部が形成された部分を通って外側に延びている。
【発明の効果】
【００１１】
第１〜第３の態様に係るバンドクリップによると、バンド係止部が軸部に設けられているため、バンドクリップにより電線が取付対象物に取り付けられた際に、取付対象物から電線までの寸法を抑えることができる。また、バンド本体部が軸部の延びる方向と直交する方向に延びるように形成されるとともに、ヒンジ部が軸部の延びる方向と直交する方向から軸部の延びる向きとは逆の向きに向かうように湾曲状に形成されている湾曲部を含むため、湾曲部全体で大きく曲げることで、バンド本体部の基部を軸部の中心に寄せることができる。これにより、バンドクリップの軸部を電線の幅方向の中心に寄せることができる。
【００１２】
特に、第２の態様に係るバンドクリップによると、湾曲部は、その長手方向中間部分においてその断面積が最小となるように形成されているため、湾曲部全体で曲がりつつ、断面積が最小となる部分でより大きく曲がり易くなる。これにより、バンドクリップの軸部を電線の幅方向の中心により寄せやすくなる。
【００１３】
特に、第３の態様に係るクリップによると、胴部にはヒンジ部の幅以上の幅で外縁が底部に向かって凹む態様の凹部が形成され、ヒンジ部は軸部の延びる方向から見て凹部が形成された部分を通って外側に延びているため、ヒンジ部が大きく曲がった場合でも、ヒンジ部と皿部とが干渉することを抑制することができる。
【図面の簡単な説明】
【００１４】
【図１】実施形態に係るバンドクリップを示す斜視図である。
【図２】実施形態に係るバンドクリップを示す平面図である。
【図３】実施形態に係るバンドクリップを示す正面図である。
【図４】図２のＩＶ−ＩＶ線に沿って切断した断面図である。
【図５】バンドクリップを電線の周囲に巻回した状態を示す正面図である。
【図６】解析に用いたバンドクリップの外形を示す図である。
【図７】図６のバンドクリップのバンド部をバンド固定部に固定した状態を示す解析図である。
【図８】解析に用いた別のバンドクリップの外形を示す図である。
【図９】図８のバンドクリップのバンド部をバンド固定部に固定した状態を示す解析図である。
【図１０】解析に用いたさらに別のバンドクリップの外形を示す図である。
【図１１】図１０のバンドクリップのバンド部をバンド固定部に固定した状態を示す解析図である。
【発明を実施するための形態】
【００１５】
以下、実施形態に係るバンドクリップ１０について説明する。図１は、実施形態に係るバンドクリップ１０を示す斜視図である。図２は、実施形態に係るバンドクリップ１０を示す平面図である。図３は、実施形態に係るバンドクリップ１０を示す正面図である。図４は、図２のＩＶ−ＩＶ線に沿って切断した断面図である。
【００１６】
実施形態に係るバンドクリップ１０は、電線等の車両に配設された部材を車両に固定するための部材である。実施形態に係るバンドクリップ１０は、皿部１２と、軸部３０と、係止部４０と、バンド部５０と、バンド係止部６０とを備える。バンドクリップ１０は、車体パネル等の取付対象物に形成された取付孔に挿入可能に、且つ、挿入後に係止可能に形成されている。
【００１７】
皿部１２は、底部１４と、胴部１６とを含み、皿状に形成されている。皿部１２は、バンドクリップ１０が取付孔に係止する際に、皿バネの機能を果たす。
【００１８】
底部１４は、平面視で取付孔の内周縁部に沿った形状に形成される。ここでは、底部１４は、長方形の角を丸めたような長円形に形成されているものとして説明する。もっとも、底部１４は、円形、楕円形又は角形等他の形状であることもあり得る。
【００１９】
胴部１６は、底部１４の外周縁部から外周側に向かって拡径する態様で延びるように形成されている。胴部１６の外縁は、取付孔の外側に位置するように設定されている。
【００２０】
バンドクリップ１０が取付孔に係止する際に、軸部３０の延在方向に沿った胴部１６と後述する係止部４０との間の間隔が取付対象物の厚み寸法よりも小さい場合、胴部１６が拡径するように撓むことで、その差を吸収することができる。これにより、１種類のバンドクリップ１０で、厚みの異なる複数の取付対象物に対応可能となる。また、軸部３０の延在方向に沿った胴部１６と係止部４０との間の間隔が取付対象物の厚み寸法と同じかそれよりも小さい場合、胴部１６が取付対象物に密着し、車両の振動時等に胴部１６が拡径するように撓むことで、がたつきを抑制することができる。
【００２１】
また、胴部１６には凹部１８が形成されている。凹部１８について詳しくは後述する。
【００２２】
軸部３０は、皿部１２の底部１４から胴部１６が設けられている側に延びるように形成されている。ここでは、軸部３０の延在方向は、底部１４の主面に直交するように設けられている。
【００２３】
係止部４０は、軸部３０の先端から皿部１２側に向かって延びるように一対形成されている。係止部４０は、取付孔に挿入後に取付孔の内周縁部に引っ掛かる部分である。係止部４０が取付孔の内周縁部に引っ掛かることでバンドクリップ１０が取付孔に係止する。
【００２４】
より詳細には、一対の係止部４０は、軸部３０のうち底部１４の短辺部分を向く部分から延びるように形成されている。換言すると、一対の係止部４０を結ぶ方向は、底部１４の一対の短辺を結ぶ方向と平行となるように設定されている。これにより、係止部４０が後述する胴部１６に形成された凹部１８と重なることを抑えることができる。
【００２５】
また、一対の係止部４０は、その幅が取付孔の幅よりも大きく設定されるとともに、その幅が取付孔の幅よりも小さくなるように弾性変形可能に形成されている。係止部４０の幅が取付孔の幅よりも小さくなるように係止部４０が弾性変形することで係止部４０が取付孔に挿入及び通過可能となる。そして、係止部４０が取付孔を通過後に弾性変形していたものが元に戻ることで、その幅が取付孔の幅よりも大きくなり、係止部４０の先端付近が取付孔の内周縁部に引っ掛かり、バンドクリップ１０が取付孔に係止する。
【００２６】
ここでは、係止部４０の先端には、段差部４２が設けられ、この段差部４２に取付孔の内周縁部が引っ掛かるように設定されている。ここでは、段差部４２は２段になるように設定されているがこのことは必須ではない。段差部４２が設けられる場合、段差の数は、１段でもよいし、３段以上であってもよい。段差部４２の数が多くなるほど、１種類のバンドクリップ１０で対応可能な厚みの範囲が大きくなる。
【００２７】
バンド部５０は、ヒンジ部５６とバンド本体部５２とを含む。バンド部５０は、電線８０の周囲に巻回可能に形成されている。ここでは、バンド部５０は皿部１２のうち長辺部分から側方に延びるように形成されている。
【００２８】
ヒンジ部５６は、一端が皿部１２につながるように形成されている。ヒンジ部５６は、バンド本体部５２よりも曲げ容易に形成されている。ここでは、ヒンジ部５６は、バンド本体部５２よりも断面積が小さく（厚みが薄く）形成されることで、バンド本体部５２よりも曲げ容易とされている。また、ヒンジ部５６は、湾曲部５８を含む。ここでは、ヒンジ部５６は、電線８０側を向く面が底部１４の電線８０側を向く面と滑らかに連続するように設けられている。
【００２９】
湾曲部５８は、軸部３０の延びる方向と直交する方向から軸部３０の延びる向きとは逆の向きに向かうように湾曲状に形成されている。つまり、湾曲部５８は、外側（電線側とは反対側）に膨らむように湾曲状に形成されている。より詳細には、ここでは、ヒンジ部５６は、湾曲部５８のみで構成され、湾曲部５８はここでは、４分の１円弧状に形成されている。
【００３０】
また、湾曲部５８は、その長手方向中間部分（ここでは、長手方向中央部分）においてその断面積が最小となるように形成されている。以下、当該断面積が最小となる部分を最小部５８ｂと称する。この際に、ここでは、湾曲部５８は最小部５８ｂに向かって、長手方向に沿ってその断面積が滑らかに減少するように設定されている。
【００３１】
なお、ここで、ヒンジ部５６及び湾曲部５８の断面積とは、その外面に直交する方向（外面の接線方向に直交する方向）に沿って切断した断面の面積のことを言うものとする。また、ここでは、湾曲部５８（ヒンジ部５６）は、基端部に向けて徐々に幅広となるように形成されている。このため、最小部５８ｂの幅は、湾曲部５８（ヒンジ部５６）のうちバンド本体部５２との連結部分よりも広くなっているが、その分、厚みが薄くなっていることで、断面積が最小とされている。
【００３２】
もっとも、ヒンジ部５６が湾曲部５８のみで構成されていることは必須ではない。ヒンジ部は、例えば、直線状に形成された部分など、湾曲部５８以外の部分を含んでいてもよい。
【００３３】
また、湾曲部５８が４分の１円弧状に形成されていることは必須ではない。湾曲部は、６分の１円弧状等、４分の１より小さい円弧状に形成されていてもよいし、３分の１円弧状等、４分の１より大きい円弧状に形成されていてもよい。
【００３４】
また、湾曲部５８が、その長手方向中間部分においてその断面積が最小となるように形成されていることは必須ではない。例えば、湾曲部は、その長手方向に沿って同一断面積で連続するように形成されていてもよい。
【００３５】
バンド本体部５２は、ヒンジ部５６の他端から延びるように細帯状に形成されている。バンド本体部５２は、軸部３０の延びる方向と直交する方向に外側に向かって延びるように形成されている。
【００３６】
バンド係止部６０は、バンド部５０の一端側に設けられている。また、バンド係止部６０は、バンド部５０が電線８０の周囲に巻回された状態でバンド部５０の他端側を係止可能に形成されている。ここでは、バンド係止部６０は、軸部３０に設けられている。
【００３７】
バンド部５０とバンド係止部６０とは、ここでは、以下のように係止される。
【００３８】
即ち、バンド本体部５２のうち一方側主面（ここでは、バンド本体部５２を電線８０の周囲に巻回した状態で電線８０側を向く主面）に複数の係止凹部５４がバンド本体部５２の長手方向に沿って並ぶように形成されている。また、バンド係止部６０として、底部１４から延びる軸部３０の延在方向に沿って軸部３０及び底部１４を貫通する貫通孔６２が形成されるとともに、当該貫通孔６２の内面から上記バンド本体部５２の複数の係止凹部５４に選択的に係止可能な突起６４が形成されている。当該突起６４は、ここでは、バンド本体部５２の複数の係止凹部５４のうち隣り合う２つの係止凹部５４に嵌まるように形成されている。そして、係止凹部５４の内周面と突起６４の外周面とは、それぞれバンド本体部５２が貫通孔６２内を移動する方向に対して、傾斜した斜面５５ａ，６５ａと、ほぼ直交する垂直面５５ｂ，６５ｂとを有するように形成されている。
【００３９】
バンド本体部５２が電線８０を巻回した状態でその先端から貫通孔６２に挿通されると、突起６４がバンド本体部５２の先端側に位置する係止凹部５４から順に嵌まる。この際に、バンド本体部５２が貫通孔６２に挿通される向きに移動しようとすると、係止凹部５４の斜面５５ａが突起６４の斜面６５ａ上を動き、突起６４が係止凹部５４から抜ける方向に弾性変形する。これにより、バンド本体部５２は、貫通孔６２に挿通される向きに移動可能となる。そして、バンド本体部５２が貫通孔６２に挿通される向きとは反対の向き、つまり、バンド本体部５２を貫通孔６２から抜く向きに移動しようとすると、突起６４の垂直面６５ｂと係止凹部５４の垂直面５５ｂとがかみ合い、バンド本体部５２は移動不可となる。そして、バンド本体部５２が電線８０にきつく巻回され、貫通孔６２にそれ以上挿入不可となることで、バンド本体部５２が挿通方向のどちらの向きにも移動不可となり、バンド部５０がバンド係止部６０に係止された状態となる。
【００４０】
また、バンド本体部５２は先端近傍では先端に行くにつれて幅寸法及び厚み寸法が小さくなるように形成されている。また、貫通孔６２のうちバンド本体部５２が挿入される側の開口付近の内周縁部はテーパ状に形成されている。これらにより、バンド本体部５２が貫通孔６２に入り易くなっている。
【００４１】
凹部１８は、胴部１６において、ヒンジ部５６の幅以上の幅で外縁が底部１４に向かって凹む態様で形成されている。そして、ヒンジ部５６は軸部３０の延びる方向から見て（図２の平面視で）凹部１８が形成された部分を通って外側に延びている。
【００４２】
具体的には、ここでは、凹部１８は、胴部１６のうち底部１４の長辺部分から延びる部分全体が凹む態様で形成されている。つまり凹部１８は、胴部１６のうち底部１４の長辺部分の側方に位置する外縁が底部１４に達するまで凹む態様で形成されている。このため、胴部１６は、その中間部分が凹部１８によって隔てられ、２つに分割された態様で形成されている。別の見方をすると、胴部１６は、角が丸められた長方形状に形成された底部１４のうち短辺部分及び丸められた角部分から延びるように形成されている。
【００４３】
なお、ここでは、凹部１８は、平面視で底部１４に対して対称（図２の平面視で左右対称）となるように形成されているが、このことは必須ではない。例えば、凹部１８は、図２の平面視で底部１４に対して左右に位置するうちのバンド部５０が延びる側に位置する部分にのみ形成されていることもあり得る。また、例えば、凹部１８は、図２の平面視で底部１４に対して左右に位置するように形成されるが、その形状が左右で異なるように形成されていることもあり得る。もっとも、凹部１８は、平面視で底部１４に対して対称となるように形成されていることが好ましい。
【００４４】
また、ヒンジ部５６は、図２の平面視で、凹部１８が形成された部分を通って外側に延びることで、胴部１６とヒンジ部５６とが平面視で重ならないように設定されている。さらにここでは、バンド本体部５２も平面視で胴部１６と重ならないように設定されている。
【００４５】
胴部１６に凹部１８が形成され、ヒンジ部５６が平面視で胴部１６と重ならないように設定されることにより、ヒンジ部５６が大きく曲がった場合でも、ヒンジ部５６と皿部１２とが干渉することを抑制することができる。
【００４６】
さらに、胴部１６に凹部１８が形成されることにより、軸部３０の延在方向に沿った胴部１６と係止部４０との間の間隔が取付対象物の厚み寸法よりも小さい場合、胴部１６が拡径するように撓みやすくなり、その挿入に係る力が小さくなる。
【００４７】
さらに、凹部１８は、平面視でバンド部５０と胴部１６とで重なる部分がないように形成されていることにより、バンド部５０については、金型を上下抜きすることで製造可能となる。より詳細には、一方から見て（ここでは平面視で）重なると共に重なっている部分の中間部分が凹む形状、いわゆるアンダーカット形状となる部分を減らすことで、バンドクリップ１０を製造する際に、金型を上下抜きすることで製造できる箇所が増える。これにより、バンドクリップ１０の製造が容易となり、バンドクリップ１０の製造に係るコストを抑えることができる。
【００４８】
次に、バンドクリップ１０のバンド部５０が電線８０の周囲に巻付けられた状態でのバンド部５０の外形について説明する。図５は、バンドクリップ１０を電線８０の周囲に巻回した状態を示す正面図である。なお、図５には、軸部３０の中心を通る中心線ＣＬが描かれている。
【００４９】
ここで、バンドクリップ１０が取り付けられる電線８０について説明する。
【００５０】
電線８０は、少なくとも１本含まれていればよい。電線８０は、芯線の外周に樹脂が押出被覆等されることで被覆部が形成された構成とされている。ここでは、複数の電線８０が束ねられた電線束８２の例で説明する。なお、電線束８２には、光ファイバ等が電線８０に沿って配設されていてもよい。電線８０は、車両等の配設対象箇所に配設された状態で、車両等に搭載された各種電気機器同士を電気的に接続するものとして用いられる。なお、図５では、電線束８２の概形が描かれている。
【００５１】
バンド部５０が電線８０の周囲に巻付けられると、ヒンジ部５６の湾曲部５８が大きく曲がり、バンド本体部５２の基部が軸部３０の中心に寄せられる。そして、この状態で、バンド本体部５２の基部よりも先端側の部分が電線８０の外周に沿って巻回される。これにより、バンドクリップ１０の軸部３０を電線８０の幅方向の中心に寄せることができる。
【００５２】
特に、バンド部５０を巻き付ける電線８０の径（電線束８２の径）が小さい場合には、電線８０の位置がバンド部５０の外形の影響を受けやすいため、バンドクリップ１０の軸部３０が電線８０の幅方向の中心からずれやすい。しかしながら、この場合でも、バンド部５０を電線の周囲に巻き付けずにそのままバンド係止部６０に係止させた際に、後述する解析の結果に示されるように、バンド本体部５２の基部が軸部３０の中心に寄ることで、電線８０（電線束８２）の幅方向中心が軸部３０の中心に寄り易くなる。
【００５３】
ヒンジ部５６に湾曲部５８を設けることで、バンドクリップ１０の軸部３０を電線８０の幅方向の中心に寄せることができるという効果が得られることについて、発明者らは、解析を行った。以下にその詳細を示す。
【００５４】
＜解析＞
発明者らは、形状の異なる３種類のバンド部１５０，２５０，３５０について、バンド係止部に係止させた状態でどのような外形になるかについて、解析を行った。以下、解析の条件（バンド部１５０，２５０，３５０の形状）及びその結果について図６〜図１１を交えて詳述する。なお、図６、図８、図１０は、解析に用いた３種類のバンドクリップ１１０，２１０，３１０それぞれの係止前の外形を示す図である。また、図７、図９、図１１は、それぞれ図６、図８、図１０のバンドクリップ１１０，２１０，３１０のバンド部１５０，２５０，３５０がバンド係止部に係止した状態を示す解析図である。なお、図６〜図１１において、バンド部１５０，２５０，３５０以外の部分については、説明容易とするため、箱状に形成され、当該箱状に形成された部分の内部にバンド係止部が設けられているものとする。
【００５５】
図６に示されるバンドクリップ１１０は、実施形態に係るバンドクリップ１０と同様に、湾曲部１５８を有するヒンジ部１５６を介してバンド本体部１５２が直線状に延びるように形成されている。
【００５６】
バンドクリップ１１０のバンド部１５０をバンド係止部に係止させると、図７に示されるように、バンド部１５０がヒンジ部１５６で内周側に大きく曲がり、バンド本体部１５２の基部が箱状部分の中心に寄る。そしてバンド本体部１５２は、ヒンジ部１５６との連結部分において一旦外周側に曲がった後、基部から先の部分において内周側に緩やかに曲がりつつ、バンド係止部に収まる。
【００５７】
図８に示されるバンドクリップ２１０は、ヒンジ部２５６もバンド本体部２５２と同方向に直線状に延びるように形成されている。
【００５８】
バンドクリップ２１０のバンド部２５０をバンド係止部に係止させると、図９に示されるように、ヒンジ部２５６で内周側に大きく曲がった後、それより先のヒンジ部２５６及びバンド本体部２５２がヒンジ部２５６の大きく曲がる部分と同じ内周側に緩やかに曲がりつつ、バンド係止部に収まる。
【００５９】
図１０に示されるバンドクリップ３１０は、ヒンジ部３５６は直線状に形成されているが、その延びる方向は、バンド本体部３５２と角度をなすように設定され、図１０において、皿部（箱状に形成された部分）から外側に向かって斜め下に延びるように設定されている。
【００６０】
バンドクリップ３１０のバンド部３５０をバンド係止部に係止させると、図１１に示されるように、ヒンジ部３５６で内周側に大きく曲がった後、それより先のヒンジ部３５６でほぼ直線状に延びたのち、ヒンジ部３５６とバンド本体部３５２との連結部分で再び内周側に大きく曲がる。そして、それより先のバンド本体部３５２で内周側に緩やかに曲がりつつバンド係止部に収まる。
【００６１】
以上の解析結果から、ヒンジ部が直線状に設けられていると、ヒンジ部のうち基端部側が大きく曲がり、それより先の部分では、あまり曲がらないことが分かる。
【００６２】
これに対して、ヒンジ部に湾曲部が設けられていると、湾曲部の部分で全体的に大きく曲がることで、バンド本体部の基部を軸部の中心に寄せることができる。そして、バンド本体部が、軸部の中心に寄った基部から一様に曲がることで電線の外周に沿った形状になり易い。これにより、電線（電線束）の幅方向中心が軸部の中心に寄り易くなる。
【００６３】
なお、上記解析は、バンド部１５０，２５０，３５０をそのままバンド係止部に係止させた状態に設定されており、バンド部１５０，２５０，３５０を電線の周囲に巻付けた状態に設定されていない。しかしながら、バンド部１５０，２５０，３５０を電線の周囲に巻付けた状態であっても、その外形は、バンド部１５０，２５０，３５０をそのままバンド係止部に係止させた状態に応じて決定されるため、電線の周囲に巻付けられ、バンド係止部に係止したバンド部１５０，２５０，３５０の外形は上記したものに近いものになると思われる。
【００６４】
実施形態に係るバンドクリップ１０によると、バンド係止部６０が軸部３０に設けられているため、バンドクリップ１０により電線８０が取付対象物に取り付けられた際に、取付対象物から電線８０までの寸法を抑えることができる。また、バンド本体部５２が軸部３０の延びる方向と直交する方向に延びるように形成されるとともに、ヒンジ部５６が軸部３０の延びる方向と直交する方向から軸部３０の延びる向きとは逆の向きに向かうように湾曲状に形成されている湾曲部５８を含むため、湾曲部５８全体で大きく曲げることで、バンド本体部５２の基部を軸部３０の中心に寄せることができる。これにより、バンドクリップ１０の軸部３０を電線８０の幅方向の中心に寄せることができる。
【００６５】
また、湾曲部５８は、その長手方向中間部分においてその断面積が最小となるように形成されているため、湾曲部５８全体で曲がりつつ、断面積が最小となる部分でより大きく曲がり易くなる。これにより、バンドクリップ１０の軸部３０を電線８０の幅方向の中心により寄せやすくなる。
【００６６】
また、皿部１２の胴部１６には外周縁部から底部１４に向かい、ヒンジ部５６の幅以上の幅を有する凹部１８が形成され、ヒンジ部５６は軸部３０の延びる方向から見て凹部１８が形成された部分を通って外側に延びているため、ヒンジ部５６が大きく曲がった場合でも、ヒンジ部５６と皿部１２とが干渉することを抑制することができる。
【００６７】
以上のようにこの発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００６８】
１０  バンドクリップ
１２  皿部
１４  底部
１６  胴部
１８  凹部
３０  軸部
４０  係止部
５０  バンド部
５２  バンド本体部
５６  ヒンジ部
５８  湾曲部
６０  バンド係止部
【図１】
2016077048.tif 000003
【図２】
2016077048.tif 000004
【図３】
2016077048.tif 000005
【図４】
2016077048.tif 000006
【図５】
2016077048.tif 000007
【図６】
2016077048.tif 000008
【図７】
2016077048.tif 000009
【図８】
2016077048.tif 000010
【図９】
2016077048.tif 000011
【図１０】
2016077048.tif 000012
【図１１】
2016077048.tif 000013